(57)【要約】【課題】ユーザが簡易な操作で効率的に入力した線画、及び線画を検索するための情報を管理できる情報管理装置及びプログラムを提供する。【解決手段】ＰＣのＣＰＵは、電子ペンの移動軌跡を示すストロークデータを、読取装置から取得する（Ｓ１１）。ＣＰＵは、取得されたストロークデータのうち第一領域内のストロークデータに基づき、第一文字列を特定する（Ｓ１３，Ｓ１５）。ＣＰＵは、第二領域内の軌跡のストロークデータに基づき、第二文字列を特定する（Ｓ１７、Ｓ１９）。ＣＰＵは、第三領域内のストロークデータに基づき、画像ファイルを作成する（Ｓ２１、Ｓ２３）。ＣＰＵは、作成された画像ファイルを、第一文字列を含むファイル名のファイルとして記憶する（Ｓ２５）。ＣＰＵは、作成された画像ファイルと第二文字列を示すデータとを関連付けて記憶する（Ｓ２７）。【選択図】図６
2014086049.tif 000002
【特許請求の範囲】
【請求項１】
所定領域内を移動する筆記手段の軌跡を検出することが可能な検出手段によって検出される前記軌跡を示すデータであって、前記軌跡上の複数の位置の情報によって前記軌跡を特定するストロークデータを取得する第一取得手段と、
前記第一取得手段によって取得された前記ストロークデータのうち、前記所定領域内の特定の領域である第一領域内の軌跡のストロークデータに基づき、前記軌跡によって形成される文字列である第一文字列を特定する第一特定手段と、
前記第一取得手段によって取得された前記ストロークデータのうち、前記所定領域内の特定の領域であって前記第一領域以外の領域である第二領域内の軌跡のストロークデータに基づき、前記軌跡によって形成される文字列である第二文字列を特定する第二特定手段と、
前記第一取得手段によって取得された前記ストロークデータのうち、前記所定領域内の特定の領域であって前記第一領域及び前記第二領域以外の領域である第三領域内の軌跡のストロークデータに基づき、画像によって前記軌跡を示すデータファイルである画像ファイルを作成する作成手段と、
前記作成手段によって作成された前記画像ファイルを、前記第一特定手段によって特定された前記第一文字列を少なくとも含むファイル名のファイルとして記憶手段に記憶する第一記憶制御手段と、
前記作成手段によって作成された前記画像ファイルと、前記第二特定手段によって特定された前記第二文字列を示すデータとを関連付けて前記記憶手段に記憶する第二記憶制御手段と
を備えたことを特徴とする情報管理装置。
【請求項２】
前記第一記憶制御手段によって前記記憶手段に記憶された前記画像ファイルを、対応する前記ファイル名に対応付けて表示手段にサムネイル表示する第一表示制御手段を備えたことを特徴とする請求項１に記載の情報管理装置。
【請求項３】
前記第二記憶制御手段によって、前記画像ファイルに関連付けて前記記憶手段に記憶されたデータによって示される前記第二文字列を、表示手段に表示する第二表示制御手段を備えたことを特徴とする請求項１に記載の情報管理装置。
【請求項４】
文字列を取得する第二取得手段と、
前記第二取得手段によって取得された前記文字列を少なくとも含む前記第二文字列を示すデータに関連付けて前記記憶手段に記憶された画像ファイルを通知する通知手段と
を備えたことを特徴とする請求項１から３のいずれかに記載の情報管理装置。
【請求項５】
所定領域内を移動する筆記手段の軌跡を検出することが可能な検出手段によって検出される前記軌跡を示す情報を管理する情報管理装置のコンピュータに、
前記軌跡上の複数の位置の情報によって前記軌跡を特定するストロークデータを取得する第一取得ステップと、
前記第一取得ステップによって取得された前記ストロークデータのうち、前記所定領域内の特定の領域である第一領域内の軌跡のストロークデータに基づき、前記軌跡によって形成される文字列である第一文字列を特定する第一特定ステップと、
前記第一取得ステップによって取得された前記ストロークデータのうち、前記所定領域内の特定の領域であって前記第一領域以外の領域である第二領域内の軌跡のストロークデータに基づき、前記軌跡によって形成される文字列である第二文字列を特定する第二特定ステップと、
前記第一取得ステップによって取得された前記ストロークデータのうち、前記所定領域内の特定の領域であって前記第一領域及び前記第二領域以外の領域である第三領域内の軌跡のストロークデータに基づき、画像によって前記軌跡を示すデータファイルである画像ファイルを作成する作成ステップと、
前記作成ステップによって作成された前記画像ファイルを、前記第一特定ステップによって特定された前記第一文字列を少なくとも含むファイル名のファイルとして記憶手段に記憶する第一記憶制御ステップと、
前記作成ステップによって作成された前記画像ファイルと、前記第二特定ステップによって特定された前記第二文字列を示すデータとを関連付けて前記記憶手段に記憶する第二記憶制御ステップと
を実行させることを特徴とするプログラム。
【発明の詳細な説明】
【技術分野】
【０００１】
本発明は、読取装置によって読み取られた手書きの情報を管理する情報管理装置及びプログラムに関する。
【背景技術】
【０００２】
従来、手書き入力された線画のデータを管理する技術が知られている。例えば特許文献１に記載された電子カルテシステムでは、ユーザは、タッチスクリーンを介してイメージエリアに自由なフォーマットで線画を手書き入力する。又、ユーザは、キーボードを介してテキストエリアに文字列を入力する。電子カルテシステムは、手書き入力された線画と、キーボードを介して入力された文字列とを関連付ける。ユーザは、手書き入力された線画を検索する場合に用いるキーワードとして、キーボードを介して入力された文字列を使用することが可能となる。
【先行技術文献】
【特許文献】
【０００３】
【特許文献１】特開２０００−３１５２４１号公報
【発明の概要】
【発明が解決しようとする課題】
【０００４】
特許文献１に記載されたシステムでは、線画及び文字列の入力方法が異なる。このためユーザは、線画及び文字列を入力する場合に、入力方法を切り替える必要があり、操作が煩わしく効率的でないという問題点がある。
【０００５】
本発明の目的は、ユーザが簡易な操作で効率的に入力した線画、及び線画を検索するための情報を管理できる情報管理装置及びプログラムを提供することである。
【課題を解決するための手段】
【０００６】
本発明の第一態様に係る情報管理装置は、所定領域内を移動する筆記手段の軌跡を検出することが可能な検出手段によって検出される前記軌跡を示すデータであって、前記軌跡上の複数の位置の情報によって前記軌跡を特定するストロークデータを取得する第一取得手段と、前記第一取得手段によって取得された前記ストロークデータのうち、前記所定領域内の特定の領域である第一領域内の軌跡のストロークデータに基づき、前記軌跡によって形成される文字列である第一文字列を特定する第一特定手段と、前記第一取得手段によって取得された前記ストロークデータのうち、前記所定領域内の特定の領域であって前記第一領域以外の領域である第二領域内の軌跡のストロークデータに基づき、前記軌跡によって形成される文字列である第二文字列を特定する第二特定手段と、前記第一取得手段によって取得された前記ストロークデータのうち、前記所定領域内の特定の領域であって前記第一領域及び前記第二領域以外の領域である第三領域内の軌跡のストロークデータに基づき、画像によって前記軌跡を示すデータファイルである画像ファイルを作成する作成手段と、前記作成手段によって作成された前記画像ファイルを、前記第一特定手段によって特定された前記第一文字列を少なくとも含むファイル名のファイルとして記憶手段に記憶する第一記憶制御手段と、前記作成手段によって作成された前記画像ファイルと、前記第二特定手段によって特定された前記第二文字列を示すデータとを関連付けて前記記憶手段に記憶する第二記憶制御手段とを備えている。
【０００７】
第一態様によれば、情報管理装置は、ユーザが第一領域に手書き入力した文字列を、第三領域に手書き入力した線画の画像ファイルのファイル名として設定することができる。また情報管理装置は、ユーザが第二領域に手書き入力した文字列を、第三領域に手書き入力した線画の画像ファイルに関連付けて記憶することができる。従ってユーザは、検出手段に対して手書き入力した線画の画像ファイルのファイル名を、線画の内容に関連付けて容易に設定することができる。画像ファイルのファイル名を設定する操作が不要となるので、ユーザの操作性は向上する。またユーザは、画像ファイルを検索するためのキーワードとして、第二領域に入力された文字列を使用することができる。ユーザは、画像ファイルの検索キーワードを設定する操作が不要となるばかりでなく、同一の入力方法（手書き入力）によって検索キーワードを入力することができるので、ユーザの操作性は更に向上する。
【０００８】
第一態様において、前記第一記憶制御手段によって前記記憶手段に記憶された前記画像ファイルを、対応する前記ファイル名に対応付けて表示手段にサムネイル表示する第一表示制御手段を備えてもよい。ユーザは、第三領域に手書き入力することによって作成された複数の画像ファイルを容易に認識できる。また、画像ファイルとファイル名とが対応付けられているので、第一領域に手書き入力した文字列と画像ファイルとの対応関係を容易に把握することができる。従ってユーザは、所望する画像ファイルを迅速に見つけることができる。
【０００９】
第一態様において、前記第二記憶制御手段によって、前記画像ファイルに関連付けて前記記憶手段に記憶されたデータによって示される前記第二文字列を、表示手段に表示する第二表示制御手段を備えてもよい。ユーザは、第二領域に手書き入力した第二文字列を認識することができる。ユーザは、第三領域に手書き入力することによって作成された画像ファイルに、どのような文字列を関連付けたかを一見して容易に把握することが可能となる。
【００１０】
第一態様において、文字列を取得する第二取得手段と、前記第二取得手段によって取得された前記文字列を少なくとも含む前記第二文字列を示すデータに関連付けて前記記憶手段に記憶された画像ファイルを通知する通知手段とを備えてもよい。ユーザは、第二領域に手書き入力することによって画像ファイルに関連付けられた第二文字列を、検索キーワードとして使用し、画像ファイルを検索して表示手段に表示させることが可能となる。このためユーザは、所望する画像ファイルを迅速に見つけることが可能となる。
【００１１】
本発明の第二態様に係るプログラムは、所定領域内を移動する筆記手段の軌跡を検出することが可能な検出手段によって検出される前記軌跡を示す情報を管理する情報管理装置のコンピュータに、前記軌跡上の複数の位置の情報によって前記軌跡を特定するストロークデータを取得する第一取得ステップと、前記第一取得ステップによって取得された前記ストロークデータのうち、前記所定領域内の特定の領域である第一領域内の軌跡のストロークデータに基づき、前記軌跡によって形成される文字列である第一文字列を特定する第一特定ステップと、前記第一取得ステップによって取得された前記ストロークデータのうち、前記所定領域内の特定の領域であって前記第一領域以外の領域である第二領域内の軌跡のストロークデータに基づき、前記軌跡によって形成される文字列である第二文字列を特定する第二特定ステップと、前記第一取得ステップによって取得された前記ストロークデータのうち、前記所定領域内の特定の領域であって前記第一領域及び前記第二領域以外の領域である第三領域内の軌跡のストロークデータに基づき、画像によって前記軌跡を示すデータファイルである画像ファイルを作成する作成ステップと、前記作成ステップによって作成された前記画像ファイルを、前記第一特定ステップによって特定された前記第一文字列を少なくとも含むファイル名のファイルとして記憶手段に記憶する第一記憶制御ステップと、前記作成ステップによって作成された前記画像ファイルと、前記第二特定ステップによって特定された前記第二文字列を示すデータとを関連付けて前記記憶手段に記憶する第二記憶制御ステップとを実行させる。第二態様によれば、第一態様と同様の効果を奏することができる。
【図面の簡単な説明】
【００１２】
【図１】手書入力システム１の概要を示す図である。
【図２】用紙１２０を示す図である。
【図３】読取装置２及びＰＣ４の電気的構成を示すブロック図である。
【図４】テーブル４２１を示す図である。
【図５】表示画面４８１を示す図である。
【図６】取り込み処理のフローチャートである。
【図７】表示処理のフローチャートである。
【図８】検索処理のフローチャートである。
【図９】用紙１３０を示す図である。
【図１０】用紙１４０を示す図である。
【図１１】表示画面４８１を示す図である。
【発明を実施するための形態】
【００１３】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１４】
図１を参照して、本実施形態に係る手書入力システム１の概要を説明する。以下の説明では、図１の左上側、右下側、上側、下側、右上側、左下側を、それぞれ、読取装置２の左側、右側、上側、下側、後側、前側と定義して説明する。
【００１５】
手書入力システム１は、読取装置２、電子ペン３、ＰＣ４などを含む。手書入力システム１では、ユーザが電子ペン３を用いて、読取装置２に固定された紙媒体１００の用紙１２０に線画（文字、数値、記号、及び図形等）を記入する。読取装置２は、電子ペン３の軌跡を検出して、後述のストロークデータを取得する。ＰＣ４は、読取装置２で取得されたストロークデータに基づいて、用紙１２０に記入された線画を電子化した画像ファイルを作成し、管理する。
【００１６】
読取装置２は、左右一対のセンサ基板７Ｌ，７Ｒを主体とする。センサ基板７Ｌ，７Ｒは、同一の矩形薄板状であり、左右方向に見開き可能に配置されている。各センサ基板７Ｌ，７Ｒには、Ｘ軸方向およびＹ軸方向の各々に細長いループコイルが多数配列されている。読取装置２は、センサ基板７Ｌ，７Ｒを折り畳んで携行可能な、薄型軽量の手書き入力装置である。
【００１７】
電子ペン３は、公知の電磁誘導式の電子ペンであり、芯体３１、コイル３２、可変容量コンデンサ３３、基板３４、コンデンサ３５、およびインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。ユーザが電子ペン３を用いて用紙１２０に記入すると、インクによって用紙１２０に線画が形成される。
【００１８】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５および可変容量コンデンサ３３はコイル３２に並列に接続され、周知の共振（同調）回路を構成する。
【００１９】
紙媒体１００は、左右方向に見開き可能な冊子状である。紙媒体１００では、一対の表紙（表表紙１１０Ｌおよび裏表紙１１０Ｒ）と複数の用紙１２０が、各々の縁部の一部で綴じられている。一例として、紙媒体１００はＡ５サイズのノートである。紙媒体１００は表表紙１１０Ｌがセンサ基板７Ｌの上面に載置され、且つ、裏表紙１１０Ｒがセンサ基板７Ｒの上面に載置されるように、読取装置２上に装着される。ユーザは電子ペン３を用いて紙媒体１００の用紙１２０に線画を記入できる。線画が記入された用紙１２０に対向するセンサ基板７Ｌ，７Ｒのいずれかによって、用紙１２０に線画を記入する電子ペン３の位置情報が検出される。
【００２０】
図２を参照し、用紙１２０の一例について説明する。なお、図２は一ページ分の用紙１２０を示しているので、読取装置２のセンサ基板７Ｌ、７Ｒ上に紙媒体１００が見開いて置かれた状態では、用紙１２０が横方向に二つ並んで配置されることになる。図２に示すように、用紙１２０には予め複数の領域が設けられている。具体的には、用紙１２０には、タイトル領域１２１、タグ領域１２２、及びノート領域１２３が縦方向に並んで設けられている。ノート領域１２３は、ユーザが電子ペン３を用いて自由に線画を記入する領域である。タイトル領域１２１は、ノート領域１２３に記入された線画の表題を、ユーザが電子ペン３を用いて記入する領域である。タグ領域１２２は、ノート領域１２３に記入された線画を検索するためのキーワードを、タグとして、電子ペン３を用いて記入する領域である。
【００２１】
なお、用紙１２０に設けられる各種領域の種類、数、及び大きさは変更できる。各種領域の種類、数、及び大きさが異なる他の用紙（用紙１３０（図９参照）、用紙１４０（図１０参照））の詳細については、後述する。
【００２２】
図３を参照して、手書入力システム１の電気的構成を説明する。まず、読取装置２の電気的構成を説明する。読取装置２は、センサ基板７Ｌ，７Ｒ、メイン基板２０、およびセンサ制御基板２８，２９を備える。
【００２３】
メイン基板２０は、ＣＰＵ２１、フラッシュＲＯＭ２２、および無線通信部２３を備えている。フラッシュＲＯＭ２２および無線通信部２３は、ＣＰＵ２１に電気的に接続されている。ＣＰＵ２１は、読取装置２の制御を行う。フラッシュＲＯＭ２２には、ＣＰＵ２１が読取装置２を制御するために実行する各種プログラムが記憶されている。また、フラッシュＲＯＭ２２には、センサ基板７Ｌ，７Ｒ上で電子ペン３によって用紙１２０に線画を記入する電子ペン３の軌跡を示すデータ（以下、ストロークデータという。）が記憶される。ストロークデータは、センサ基板７Ｌ，７Ｒによって経時的に検出された電子ペン３の複数の位置情報によって、紙媒体１００の用紙１２０に線画を記入する電子ペン３の軌跡を特定する。ストロークデータには、軌跡上の複数の位置の夫々を示す座標情報が含まれる。無線通信部２３は、外部の電子機器と近距離無線通信を実行するためのコントローラである。
【００２４】
センサ基板７Ｌは、センサ制御基板２８のＡＳＩＣ２８Ａに電気的に接続されている。ＡＳＩＣ２８Ａは、電子ペン３による記入動作がセンサ基板７Ｌ上で行われた場合に、記入動作に基づいてストロークデータを作成する処理を実行するが、詳細は後述する。センサ基板７Ｒは、センサ制御基板２９のＡＳＩＣ２９Ａに電気的に接続されている。ＡＳＩＣ２９Ａは、電子ペン３による記入動作がセンサ基板７Ｒ上で行われた場合に、記入動作に基づいてストロークデータを作成する処理を実行するが、詳細は後述する。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２５】
センサ基板７Ｌ，７Ｒ上で電子ペン３による記入動作が行われた場合にストロークデータが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて、読取装置２に固定された紙媒体１００の用紙１２０に線画を記入する動作を行うと、電子ペン３はセンサ基板７Ｌ，７Ｒに近接する。そのため、電子ペン３の共振回路は電磁誘導によって共振し、誘導磁界を生じる。
【００２６】
次に、ＣＰＵ２１はＡＳＩＣ２８Ａ，２９Ａを制御して、センサ基板７Ｌ，７Ｒの各々のループコイルからの磁界の発生を停止させる。さらに、電子ペン３の共振回路から発せられる誘導磁界を、センサ基板７Ｌ，７Ｒの各々のループコイルで受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつ実行することで、受信電流に基づいて電子ペン３の位置が座標情報として検出される。
【００２７】
さらに、電子ペン３を用いて用紙１２０に線画を記入する動作が行われている状態では、芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、紙媒体１００の用紙１２０に線画が記入されている状態であるか否かを判断できる。ＣＰＵ２１は、用紙１２０に線画が記入されていると判断した場合、電子ペン３の位置を示す座標情報を含むストロークデータを取得し、フラッシュＲＯＭ２２に保存する。
【００２８】
なお、読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１２０に線画を記入する動作が行われた場合、タッチパネルを介して筆圧が加えられた位置を検出してもよい。
【００２９】
次に、ＰＣ４の電気的構成を説明する。ＰＣ４は、ＰＣ４の制御を行うＣＰＵ４１を備えている。ＣＰＵ４１は、ハードディスクドライブ（ＨＤＤ）４２、ＲＡＭ４３、無線通信部４４、入力回路４５、および出力回路４６と電気的に接続している。ＨＤＤ４２には、ＣＰＵ４１が実行する各種プログラムが記憶される。またＨＤＤ４２には、テーブル４２１（図４参照、後述）が記憶される。
【００３０】
ＰＣ４は、図示外の媒体読取装置（例えば、ＣＤ−ＲＯＭドライブ）を備える。ＰＣ４は、記憶媒体（例えば、ＣＤ−ＲＯＭ）に記憶されているプログラムを、媒体読取装置で読み取ってＨＤＤ４２にインストールできる。また、ＰＣ４に接続されている外部機器（図示外）またはネットワークからプログラムを受信して、ＨＤＤ４２にインストールしてもよい。
【００３１】
ＲＡＭ４３は、種々の一時データを記憶する。無線通信部４４は、外部の電子機器と近距離無線通信を実行するためのコントローラである。入力回路４５は、ＣＰＵ４１へ入力部４７（例えば、マウス、キーボード、タッチパネルなど）からの指示を送る制御を行う。出力回路４６は、ＣＰＵ４１からの指示に応じてディスプレイ４８に画像を表示する制御を行う。
【００３２】
本実施形態において、読取装置２のＣＰＵ２１は、電子ペン３によって紙媒体１００の用紙１２０に記入された線画の軌跡を示すストロークデータを取得し、フラッシュＲＯＭ２２に記憶する。読取装置２の無線通信部２３とＰＣ４の無線通信部４４との間で、近距離無線通信が実行される。フラッシュＲＯＭ２２に保存されているストロークデータは、読取装置２からＰＣ４に転送される。ＰＣ４のＣＰＵ４１は、読取装置２から転送されたストロークデータをＲＡＭ４３に記憶する。なお、読取装置２からＰＣ４に対してストロークデータが転送される場合の通信は、無線通信に限定されず有線通信であってもよい。
【００３３】
ＣＰＵ４１は、ＲＡＭ４３に記憶されたストロークデータによって示される軌跡のうち、用紙１２０のノート領域１２３（図２参照）に記入された線画の軌跡を切り出して電子化し、画像ファイルを作成する。画像ファイルは、線画の軌跡をデシタル画像によって示すデータファイルである。デジタル画像の例として、ベクター画像やラスター画像が挙げられる。画像ファイルとしてＪＰＥＧファイル、ＧＩＦファイル、ＰＮＧファイル、ＢＭＰファイルが挙げられる。
【００３４】
ＣＰＵ４１は、ＲＡＭ４３に記憶したストロークデータによって示される軌跡のうち、用紙１２０のタイトル領域１２１（図２参照）に記入された線画の軌跡によって形成される文字列を、Optical Character Recognition（ＯＣＲ）処理によって特定する。なお文字列には、ＰＣ４が認識可能な文字コードによって示される文字、数値、記号、図形等が含まれる。複数の文字、数値、記号、図形等が特定される場合だけでなく、一の文字、数値、記号、図形等が特定される場合もある。ＣＰＵ４１は、ストロークデータによって示される軌跡を示す画像データを一旦作成し、作成した画像データに対してＯＣＲ処理を実行することで、文字列を特定する。なお、ストロークデータによって示される軌跡から文字列を特定する方法は変更できる。例えばＣＰＵ４１は、周知のパターンマッチング技術を用いることによって、ストロークデータから文字列を直接特定してもよい。
【００３５】
ＣＰＵ４１は、特定した文字列を、作成した画像ファイルのファイル名として設定し、ユーザによって予め指定されたフォルダに記憶する。なお、画像ファイルが記憶されるフォルダは、ユーザが紙媒体１００の用紙１４０（図１０参照）に記入することで指定可能としてもよい。なお、ユーザが紙媒体１００の用紙１４０に記入することでフォルダを指定する方法については、後述する。
【００３６】
ＣＰＵ４１は、ＲＡＭ４３に記憶したストロークデータによって示される軌跡のうち、用紙１２０のタグ領域１２２（図２参照）に記入された線画の軌跡によって形成される文字列を、ＯＣＲ処理によって特定する。ＣＰＵ４１は、特定した文字列を、タグとして画像ファイルに関連付ける。なおタグは、一の画像ファイルに対して二以上関連付けることが可能である。画像ファイルに関連付けたタグは、画像ファイルを検索する場合のキーワードとして使用される。なお、タグは、画像ファイルを検索する場合のキーワードとしてだけでなく、例えば、データベースの属性として使用されてもよい。また、画像ファイルに関連付けるタグの特定方法は変更できる。例えば、複数のタグの候補と数字とを対応付けた対応テーブル（図示外）を、予めＨＤＤ４２に記憶してもよい。ＣＰＵ４１は、タグ領域１２２に記入された線画の軌跡に基づいて数字を特定し、特定した数字に対応するタグを、対応テーブルを参照して特定してもよい。ＣＰＵ４１は、特定したタグを画像ファイルに関連付けてもよい。
【００３７】
ＣＰＵ２１は、画像ファイルのファイル名、画像ファイルを記憶したフォルダの場所、及びタグを、テーブル４２１に対応付けて記憶することで、画像ファイルとタグを関連付ける。図４は、ＨＤＤ４２に記憶されたテーブル４２１を示している。テーブル４２１には、画像ファイルのファイル名、画像ファイルが記憶されたフォルダの場所、及びタグが対応付けて記憶されている。
【００３８】
図５は、テーブル４２１（図４参照）に基づいてディスプレイ４８に表示される表示画面４８１を示している。表示画面４８１は、フォルダ表示領域４８１１、タグ表示領域４８１２、及びサムネイル表示領域４８１３を含む。フォルダ表示領域４８１１は、画像ファイルが記憶された複数のフォルダの相互関係（階層構造）を示す。フォルダ表示領域４８１１には、テーブル４２１に場所として記憶された複数のフォルダが階層的に表示される。ユーザは、フォルダ表示領域４８１１に表示された複数のフォルダのうち一つを、入力部４７を介して選択することができる。
【００３９】
タグ表示領域４８１２は、フォルダ表示領域４８１１に表示されたフォルダのうちユーザによって選択されたフォルダに記憶された画像ファイルに関連付けられたすべてのタグと、該タグが関連付けられた画像ファイルの数とが対応付けて表示されている。タグ表示領域４８１２には、テーブル４２１に記憶されたタグが表示される。
【００４０】
サムネイル表示領域４８１３は、フォルダ表示領域４８１１に表示されたフォルダのうちユーザによって選択されたフォルダに記憶されたすべての画像ファイルが、ファイル名とともにサムネイル表示される。
【００４１】
図６から図８を参照し、ＣＰＵ４１によって実行される各種処理（取り込み処理、表示処理、検索処理）について説明する。ＣＰＵ４１は、ＨＤＤ４２に記憶されたプログラムに基づいて動作することで、各種処理を実行する。
【００４２】
図６を参照し、取り込み処理について説明する。取り込み処理は、読取装置２からストロークデータを取り込む指示が、ＰＣ４の入力部４７を介して入力された場合に、ＣＰＵ４１によって開始される。なおＣＰＵ４１は、読取装置２との無線通信が可能となった場合に取り込み処理を開始してもよい。ＣＰＵ４１は、無線通信部４４を制御して読取装置２の無線通信部２３と通信を行い、読取装置２のフラッシュＲＯＭ２２に記憶されたストロークデータを取得する（Ｓ１１）。ＣＰＵ４１は、取得したストロークデータをＲＡＭ４３に記憶する。
【００４３】
ＣＰＵ４１は、ＲＡＭ４３に記憶したストロークデータのうち、用紙１２０のタイトル領域１２１（図２参照）に記入された線画の軌跡を示すストロークデータを抽出する（Ｓ１３）。ＣＰＵ４１は、抽出したストロークデータによって示される軌跡に基づき、ＯＣＲ処理によって文字列を特定する（Ｓ１５）。ＣＰＵ４１は、特定した文字列をＲＡＭ４３に記憶する。ＣＰＵ４１は、ＲＡＭ４３に記憶したストロークデータのうち、用紙１２０のタグ領域１２２（図２参照）に記入された線画の軌跡を示すストロークデータを抽出する（Ｓ１７）。ＣＰＵ４１は、抽出したストロークデータによって示される軌跡に基づき、ＯＣＲ処理によって文字列を特定する（Ｓ１９）。ＣＰＵ４１は、特定した文字列をＲＡＭ４３に記憶する。ＣＰＵ４１は、ＲＡＭ４３に記憶したストロークデータのうち、用紙１２０のノート領域１２３（図２参照）に記入された線画の軌跡を示すストロークデータを抽出する（Ｓ２１）。ＣＰＵ４１は、抽出したストロークデータによって示される軌跡の線画に基づき、画像ファイルを作成する（Ｓ２３）。
【００４４】
Ｓ１３、Ｓ１７、Ｓ２１でストロークデータを抽出する処理の具体例は、次のとおりである。ＣＰＵ４１は、用紙１２０のタイトル領域１２１、タグ領域１２２、及びノート領域１２３（図２参照）に対応するセンサ基板７Ｌ、７Ｒ上の座標情報を、予めＨＤＤ４２に記憶している。ＣＰＵ４１は、Ｓ１１で取得してＲＡＭ４３に記憶したストロークデータに含まれる座標情報のうち、タイトル領域１２１、タグ領域１２２、及びノート領域１２３に対応する夫々の領域に含まれる座標情報を抽出する。抽出された座標情報は、夫々、用紙１２０のうちタイトル領域１２１、タグ領域１２２、及びノート領域１２３に記入された線画の軌跡上の位置を示している。従って上述の処理を行うことによって、用紙１２０のうちタイトル領域１２１、タグ領域１２２、及びノート領域１２３に記入された線画と同一形状の線画の軌跡を示すストロークデータを抽出できる。
【００４５】
ＣＰＵ４１は、Ｓ２３で作成した画像ファイルのファイル名として、Ｓ１５で特定した文字列、即ち、タイトル領域１２１のストロークデータに基づいて特定された文字列を設定する。ＣＰＵ４１は、ファイル名を設定した画像ファイルを、指定されたフォルダに記憶する（Ｓ２５）。ＣＰＵ４１は、Ｓ１５で特定した文字列を、ファイル名としてテーブル４２１に記憶する。ＣＰＵ４１は、Ｓ１９で特定した文字列、即ち、タグ領域１２２のストロークデータに基づいて特定された文字列を、タグとしてファイル名に対応付け、テーブル４２１（図４参照）に記憶する。ＣＰＵ４１は、Ｓ２３で作成した画像ファイルを記憶したフォルダの場所を、ファイル名及びタグに対応付けてテーブル４２１に記憶する（Ｓ２７）。これらによって、画像ファイル、ファイル名、及びタグが関連付けられる。取り込み処理は終了する。
【００４６】
図７を参照し、表示処理について説明する。表示処理は、表示画面４８１をディスプレイ４８に表示させる指示がＰＣ４の入力部４７を介して入力された場合に、ＣＰＵ４１によって開始される。表示処理においてＣＰＵ４１は、ＲＡＭ４３に記憶した変数Ｎを使用する。
【００４７】
ＣＰＵ４１は、表示画面４８１をディスプレイ４８に表示し、テーブル４２１（図４参照）に場所として記憶されたフォルダを、フォルダ表示領域４８１１に階層的に表示する。ＣＰＵ４１はテーブル４２１（図４参照）を参照する。ユーザは、フォルダ表示領域４８１１に表示されたフォルダのうち何れかを選択する。ＣＰＵ４１は、ユーザによって選択されたフォルダに対応する場所に対応付けられたファイル名及びタグを、テーブル４２１から取得する（Ｓ３１）。ＣＰＵ４１は、変数Ｎに１を記憶して初期化する（Ｓ３３）。ＣＰＵ４１は、Ｓ３１で取得したファイル名及びタグのうち、Ｎ番目のファイル名及びタグを抽出する（Ｓ３５）。ＣＰＵ４１は、表示画面４８１のタグ表示領域４８１２に、抽出したタグを表示し、数として１を表示する（Ｓ３７）。なお、既に同一のタグがタグ表示領域４８１２に表示されている場合、ＣＰＵ４１は、表示されている同一のタグに対応する数に１を加算して更新する。ＣＰＵ４１は、Ｎ番目のファイル名に対応する画像ファイルを取得する。ＣＰＵ４１は、取得した画像ファイルにファイル名を対応付け、サムネイル表示領域４８１３にサムネイル表示する（Ｓ３９）。ＣＰＵ４１は、変数Ｎに１を加算する（Ｓ４１）。
【００４８】
ＣＰＵ４１は、Ｓ３１で取得したファイル名及びタグの全てに対して、Ｓ３５〜Ｓ４１の処理を行ったか判断する（Ｓ４３）。Ｓ３１で取得したファイル名及びタグの全てに対してＳ３５〜Ｓ４１の処理を行なっておらず、未処理のファイル名及びタグが残っている場合（Ｓ４３：ＮＯ）、処理はＳ３５に戻る。ＣＰＵ４１は、更新した変数Ｎに基づいてＳ３５〜Ｓ４３を繰り返す。一方、Ｓ３１で取得したファイル名及びタグの全てに対してＳ３５〜Ｓ４１の処理を実行した場合（Ｓ４３：ＹＥＳ）、ＣＰＵ４１は、表示画面４８１の表示を終了させる指示が、ＰＣ４の入力部４７を介して入力されたか判断する（Ｓ４７）。表示画面４８１の表示を終了させる指示が入力されていない場合（Ｓ４７：ＮＯ）、処理はＳ３１に戻る。一方、表示画面４８１の表示を終了させる指示が入力された場合（Ｓ４７：ＹＥＳ）、ＣＰＵ４１は、表示画面４８１の表示を終了させる。表示処理は終了する。
【００４９】
図８を参照し、検索処理について説明する。検索処理は、表示画面４８１がディスプレイ４８に表示された状態で、フォルダ表示領域４８１１に表示されたフォルダ、及び、タグ表示領域４８１２に表示されたタグを選択する操作が、ＰＣ４の入力部４７を介して入力された場合に、ＣＰＵ４１によって開始される。
【００５０】
ＣＰＵ４１は、選択されたフォルダ及びタグを取得する（Ｓ５１）。ＣＰＵ４１はテーブル４２１（図４参照）を参照する。ＣＰＵ４１は、取得したフォルダの場所及びタグにファイル名が対応付けて記憶されているか判断する（Ｓ５３）。該当するファイル名がテーブル４２１に記憶されている場合（Ｓ５３：ＹＥＳ）、ＣＰＵ４１は、表示画面４８１のサムネイル表示領域４８１３にサムネイル表示された複数の画像ファイルのうち、該当するファイル名の画像ファイルの周囲を所定の色（例えば黄色）で塗りつぶし、且つ、ファイル名を反転表示させることによって強調表示する（Ｓ５５）。検索処理は終了する。一方、該当するファイル名がテーブル４２１に記憶されていない場合（Ｓ５３：ＮＯ）、検索処理は終了する。
【００５１】
なお上述のＳ５１において、選択されたフォルダ及びタグを取得する処理は変更できる。例えばＣＰＵ４１は、フォルダ及びタグのうち何れか一方が選択された状態で、選択されたフォルダ又はタグをＳ５１で取得してもよい。ＣＰＵ４１は、テーブル４２１を参照し、取得したフォルダ又はタグに対応付けられたファイル名の画像ファイルを強調表示してもよい。また、例えば表示画面４８１に、フォルダ及びタグを直接テキスト入力することが可能な入力部を設けてもよい。ＣＰＵ４１は、Ｓ５１で、入力部に入力されたフォルダ及びタグを取得してもよい。また、Ｓ５５で行う強調表示とは別の方法で、該当する画像ファイルをユーザに通知してもよい。例えばＣＰＵ４１は、該当する画像ファイルを全画面表示させることによって、ユーザに通知してもよい。
【００５２】
以上説明したように、ＰＣ４のＣＰＵ４１は、ユーザが電子ペン３を用いて用紙１２０のタイトル領域１２１（図４参照）及びタグ領域１２２（図４参照）に線画を記入した場合、電子ペン３の軌跡に基づいて文字列を特定する。またＣＰＵ４１は、用紙１２０のノート領域１２３に記入された線画の画像ファイルを作成する。そしてＣＰＵ４１は、作成した画像ファイルのファイル名として、タイトル領域１２１に記入された文字列を設定する。従ってユーザは、用紙１２０のノート領域１２３に記入した線画の画像ファイルのファイル名を、ノート領域１２３に記入した線画に関連付けて容易に設定できる。ユーザは、画像ファイルのファイル名を設定する操作が不要となるので、操作性は向上する。
【００５３】
またＣＰＵ４１は、作成した画像ファイルのファイル名及び場所に、タグ領域１２２に記入された文字列をタグとして対応付け、テーブル４２１に記憶することで、双方を関連付ける。関連付けられたタグは、画像ファイルを検索するためのキーワードとして使用することが可能である。従ってユーザは、画像ファイルを検索するためのキーワードをタグとしてタグ領域１２２に記入することによって、所望する画像ファイルを容易に検索することが可能となる。またユーザは、画像ファイルの検索キーワードを設定する操作が不要となる。
【００５４】
さらにＣＰＵ４１は、タイトル領域１２１、タグ領域１２２、及びノート領域１２３に対して、同一の入力方法（電子ペン３による手書き入力）によって線画を記入することができる。このため、画像ファイル、ファイル名、及びタグを効率的に入力することができるので、ユーザの操作性は更に向上する。
【００５５】
表示画面４８０のタグ表示領域４８１２には、電子ペン３によってタグ領域１２２に記入した文字列がタグとして表示される。タグは画像ファイルに関連付けられるので、ユーザは、画像ファイルにどのようなタグが関連付けられているかを、一見して容易に把握することが可能となる。従ってユーザは、検索用のキーワードとして用いるタグを、タグ表示領域４８１２に表示されたタグの中から選択して利用することができる。
【００５６】
表示画面４８０のサムネイル表示領域４８１３には、画像ファイル及びファイル名がサムネイル表示される。このためユーザは、電子ペン３によってノート領域１２３に記入した線画を含む複数の画像ファイルを、一度に認識できる。また、サムネイル表示領域４８１３では、画像ファイルとファイル名とが対応付けられているので、電子ペン３によってタイトル領域１２１に記入した文字列と画像ファイルとの対応関係を容易に把握できる。従ってユーザは、所望する画像ファイルを迅速に見つけることができる。
【００５７】
またＣＰＵ４１は、画像ファイル（の場所）、ファイル名、及びタグを対応付けてテーブル４２１に記憶することで、これらの情報を管理する。このためＣＰＵ４１は、ユーザによって指定されたタグに対応する画像ファイル及びこのファイル名を容易に検索することができる。
【００５８】
ＣＰＵ４１は、電子ペン３によってタグ領域１２２に記入された文字列に対応する画像ファイルを強調表示することによって、ユーザに通知する。このためユーザは、所望する画像ファイルを明確に認識することが可能となる。
【００５９】
尚、上記実施形態は一例であり、本発明は種々の変更が可能である。上記実施形態において、ＣＰＵ４１は、用紙１２０のタイトル領域１２１に記入された文字列を特定し、画像ファイルのファイル名として設定した。これに対してＣＰＵ４１は、タイトル領域１２１に記入された文字列を一部に含む他の文字列を、画像ファイルのファイル名として設定してもよい。上述の実施形態において、ＣＰＵ４１は、テーブル４２１にファイル名、画像ファイルが記憶された場所、及びタグを対応付けて記憶することによって、画像ファイルにタグを対応付けていた。これに対してＣＰＵ４１は、画像ファイルのヘッダ情報にタグを直接格納することによって、画像ファイルとタグとを関連付けてもよい。
【００６０】
上述の実施形態における取り込み処理（図６参照）の一部または全部は、読取装置２のＣＰＵ２１によって実行されてもよい。ＰＣ４は、読取装置２のＣＰＵ２１によって作成された画像ファイル及びテーブル４２１を取得してもよい。
【００６１】
上述の実施形態では、用紙１２０に設けられたノート領域１２３の大きさは固定されていた。これに対し、ユーザがノート領域１２３の大きさを変更できるようにしてもよい。図９は、変形例における用紙１３０を示している。用紙１３０には、四つのタイトル領域１３１（タイトル領域１３１１〜１３１４）、四つのタグ領域１３２（タグ領域１３２１〜１３２４）、及びノート領域１３３が設けられている。ノート領域１３３には四つの区切りチェックボックス１３４（１３４１〜１３４４）が設けられている。区切りチェックボックス１３４１〜１３４４は、ノート領域１３３内を上下方向に等間隔に並んでいる。ノート領域１３３は、区切りチェックボックス１３４１〜１３４４の夫々を通り左右方向に延びる線分によって四等分される。四等分されたノート領域１３３の夫々には、上から順に、タイトル領域１３１１及びタグ領域１３２１、タイトル領域１３１２及びタグ領域１３２２、タイトル領域１３１３及びタグ領域１３２３、及び、タイトル領域１３１４及びタグ領域１３２４に対応付けられている。
【００６２】
ユーザは、ノート領域１３３を分割して使用することができる。例えばユーザが、区切りチェックボックス１３４３、１３４４にチェックマークを記入する動作を電子ペン３によって行ったとする。ＣＰＵ４１は、チェックマークを示す線画の軌跡を示すストロークデータであって、チェックボックス１３４３、１３４４に対応するセンサ基板７Ｌ、７Ｒ上の位置を示す座標情報を含むストロークデータを抽出する。ＣＰＵ４１は、ノート領域１３３内のストロークデータから、パターンマッチングによってチェックマークのストロークデータを抽出してもよい。またＣＰＵ４１は、予め区切りチェックボックス１３４の領域を示すセンサ基板７Ｌ、７Ｒ上の位置情報を、ＨＤＤ４２に記憶してもよい。ＣＰＵ４１は、この領域内のストロークデータを抽出することによって、チェックボックス１３４３、１３４４に記入されたチェックマークのストロークデータを抽出してもよい。
【００６３】
ＣＰＵ４１は、ノート領域１３３の上端から、区切りチェックボックス１３４３を通り左右方向に延びる線分までの領域１３５、及び、区切りチェックボックス１３４３を通り左右方向に延びる線分からノート領域１３３の下端までの領域１３６に、ノート領域１３３を分割する。ＣＰＵ４１は、分割した夫々の領域１３５、１３６に記入された線画の軌跡を示すストロークデータを抽出し（Ｓ２１、図６参照）、画像ファイルを別々に作成する（Ｓ２３、図６参照）。
【００６４】
また、領域１３５に記入された線画の軌跡に基づく画像ファイルに、タイトル領域１３１１に記入された線画の軌跡に基づき特定された文字列がファイル名として設定され、フォルダに記憶される（Ｓ２５、図６参照）。更に、タグ領域１３２１に記入された線画の軌跡に基づき特定された文字列が、画像ファイルのファイル名及び場所にタグとして対応付けられ、テーブル４２１に記憶される（Ｓ２７、図６参照）。同様に、領域１３６に記入された線画の軌跡に基づく画像ファイルに、タイトル領域１３１４に記入された線画の軌跡に基づき特定された文字列がファイル名として設定され、フォルダに記憶される（Ｓ２５、図６参照）。タグ領域１３２４に記入された線画の軌跡に基づき特定された文字列が、画像ファイルのファイル名及び場所にタグとして対応付けられ、テーブル４２１に記憶される（Ｓ２７、図６参照）。
【００６５】
上記実施形態において、画像ファイルが記憶されるフォルダを、ユーザが用紙に記入することによって特定できるようにしてもよい。図１０は、変形例における用紙１４０を示している。用紙１４０には、タイトル領域１４１、タグ領域１４２、フォルダ指定チェックボックス１４３、及びノート領域１４４が設けられている。タイトル領域１４１、タグ領域１４２、及びノート領域１４４については、上記実施形態と同様であるため説明を省略する。ユーザは、フォルダ指定チェックボックス１４３に含まれる「メモ」「ＴＯＤＯ」「その他」及び「予定」の何れかを選択してチェックマークをチェックすることによって、画像ファイルを記憶するフォルダを指定することができる。
【００６６】
ＣＰＵ４１は、チェックマークが記入された項目を認識する。ＣＰＵ４１は、予めフォルダ指定チェックボックス１４３の領域を示すセンサ基板７Ｌ、７Ｒ上の位置情報を、ＨＤＤ４２に記憶してもよい。ＣＰＵ４１は、この領域内のストロークデータを抽出することによって、チェックマークが記入された項目を認識してもよい。ＣＰＵ４１は、ノート領域１４４に記入された線画の軌跡に基づく画像ファイルを、認識した項目のフォルダに記憶することができる（Ｓ２５、図６参照）。
【００６７】
上記実施形態において、ユーザはタグ領域１２２に複数のタグを「，」で区切って記入できるようにしてもよい。ＣＰＵ４１は、タグ領域１２２のストロークデータに基づいて文字列を認識した場合、「，」によって文字列が区切られている場合には、区切られた文字列の夫々を別々のタグとしてファイル名に対応付け、テーブル４２１に記憶してもよい。
【００６８】
タグ領域１２２に記入することで画像ファイルに関連付けられるタグを、階層的に管理できるようにしてもよい。例えば、タグ領域１２２のストロークデータに基づいて文字列を認識した場合、「／」によって文字列が区切られている場合には、「／」の前後の文字列によって示されるタグは階層的に管理されてもよい。具体的には例えば、タグ領域１２２に「いつやるか／いつか，いつやるか／次にやる，いつやるか／進行中」が記入された場合、タグ「いつか」「次にやる」「進行中」は、タグ「いつやるか」の下位階層のタグとして管理されてもよい。なお、テーブル４２１には、ファイル名及びフォルダの場所に、タグ「いつやるか／いつか」「いつやるか／次にやる」「いつやるか／進行中」を対応付けて記憶してもよい。この場合、表示画面４８１のタグ表示領域４８１２には、図１１に示すように、タグが階層的に表示されることになる。
【００６９】
上述のようにしてタグが階層的に管理される場合、検索処理（図８参照）は次のようにして実行されてもよい。タグ表示領域４８１２に表示されたタグ「いつか」がユーザによって選択された場合（Ｓ５１、図８参照）、上述の実施形態と同様、ＣＰＵ４１は、タグ「いつか」が対応付けられたファイル名の画像ファイルを、テーブル４２１を参照して特定し、ファイル名とともにサムネイル表示領域４８１３にサムネイル表示する（Ｓ５５、図８参照）。一方、タグ「いつやるか」が選択された場合（Ｓ５１、図８参照）、ＣＰＵ４１は、タグ「いつやるか」の下位階層のすべてのタグ「いつか」「次にやる」「進行中」が対応付けられたファイル名の画像ファイルを、テーブル４２１を参照して特定し、ファイル名とともにサムネイル表示領域４８１３にサムネイル表示する（Ｓ５５、図８参照）。
【００７０】
なお、読取装置２のセンサ基板７Ｌ、７Ｒ上の領域が本発明の「所定領域」に相当する。電子ペン３が本発明の「筆記手段」に相当する。読取装置２が本発明の「検出手段」に相当する。Ｓ１１の処理を行うＣＰＵ４１が本発明の「第一取得手段」に相当する。読取装置２に用紙１２０が装着された状態における、タイトル領域１２１に対応するセンサ基板７Ｌ、７Ｒ上の領域が本発明の「第一領域」に相当する。Ｓ１５の処理を行うＣＰＵ４１が本発明の「第一特定手段」に相当する。読取装置２に用紙１２０が装着された状態における、タグ領域１２２に対応するセンサ基板７Ｌ、７Ｒ上の領域が本発明の「第二領域」に相当する。Ｓ１９の処理を行うＣＰＵ４１が本発明の「第二特定手段」に相当する。読取装置２に用紙１２０が装着された状態における、ノート領域１２３に対応するセンサ基板７Ｌ、７Ｒ上の領域が本発明の「第三領域」に相当する。Ｓ２３の処理を行うＣＰＵ４１が本発明の「作成手段」に相当する。Ｓ２５の処理を行うＣＰＵ４１が本発明の「第一記憶制御手段」に相当する。Ｓ２７の処理を行うＣＰＵ４１が本発明の「第二記憶制御手段」に相当する。
【００７１】
ディスプレイ４８が本発明の「表示手段」に相当する。Ｓ３９の処理を行うＣＰＵ４１が本発明の「第一表示制御手段」に相当する。Ｓ３７の処理を行うＣＰＵ４１が本発明の「第二表示制御手段」に相当する。Ｓ５１の処理を行うＣＰＵ４１が本発明の「第二取得手段」に相当する。Ｓ５５の処理を行うＣＰＵ４１が本発明の「通知手段」に相当する。
【００７２】
Ｓ１１の処理が本発明の「第一取得ステップ」に相当する。Ｓ１５の処理が本発明の「第一特定ステップ」に相当する。Ｓ１９の処理が本発明の「第二特定ステップ」に相当する。Ｓ２３の処理が本発明の「作成ステップ」に相当する。Ｓ２５の処理が本発明の「第一記憶制御ステップ」に相当する。Ｓ２７の処理が本発明の「第二記憶制御ステップ」に相当する。
【符号の説明】
【００７３】
１      手書入力システム
２      読取装置
３      電子ペン
７Ｌ、７Ｒ  センサ基板
２１  ＣＰＵ
４８    ディスプレイ
１００    紙媒体
１２０、１３０、１４０  用紙
１２１、１３１、１４１  タイトル領域
１２２、１３２、１４２  タグ領域
１２３、１３３、１４４  ノート領域
４２１  テーブル
４８１  表示画面
４８１１  フォルダ表示領域
４８１２  タグ表示領域
４８１３  サムネイル表示領域
【図１】
2014086049.tif 000003
【図２】
2014086049.tif 000004
【図３】
2014086049.tif 000005
【図４】
2014086049.tif 000006
【図５】
2014086049.tif 000007
【図６】
2014086049.tif 000008
【図７】
2014086049.tif 000009
【図８】
2014086049.tif 000010
【図９】
2014086049.tif 000011
【図１０】
2014086049.tif 000012
【図１１】
2014086049.tif 000013